(57)【特許請求の範囲】
【請求項１】
カメラ付き携帯端末機側の第１アダプタと、光学機器側の第２アダプタと、を備え、
前記第１アダプタ、前記第２アダプタは、
相互に直線方向に着脱可能にかつスライド可能に嵌合する第１スライド部、第２スライド部と、
相互に当接して、前記第１アダプタ、前記第２アダプタが所定の位置で停止する第１ストッパ部、第２ストッパ部と、
前記第１ストッパ部、前記第２ストッパ部が相互に当接した時に、弾性当接して、前記第１アダプタ、前記第２アダプタが所定の停止位置にロックされる第１ロック部、第２ロック部と、
を、有し、  
前記第１アダプタは、Ｕ字形状をなし、
前記第１スライド部は、前記第１アダプタの２本の中間部分に設けられていて、
前記第１ストッパ部は、前記第１アダプタの一端部分に設けられていて、
前記第１ロック部は、前記第１スライド部から突出した突起形状をなし、弾性変形可能であり、前記第２ロック部に弾性当接するものであり、
前記第１ロック部は、前記第１アダプタの２本の中間部分の他端部分側に傾斜して設けられていて、
前記第２アダプタは、舌形状をなし、
前記第２スライド部は、前記第２アダプタの中間部分の両側に設けられていて、
前記第２ストッパ部は、前記第２アダプタの一端部分に設けられていて、
前記第２ロック部は、前記第２スライド部の末端に設けられていて、
前記第２ロック部は、前記第２アダプタの円弧形状をなす他端部分に傾斜して設けられていて、
前記第１ロック部の傾斜と前記第２ロック部の傾斜とは、一致もしくはほぼ一致している、
ことを特徴とする携帯端末機取付アダプタ。
【請求項２】
前記第１ストッパ部、前記第２ストッパ部は、相互に当接する状態において、前記第１アダプタ側の重力により、前記第１アダプタ、前記第２アダプタを所定の位置に静止させる、
ことを特徴とする請求項１に記載の携帯端末機取付アダプタ。
【請求項３】
前記第１アダプタは、前記携帯端末機と別個の第１取付部材を介して前記携帯端末機に装着され、あるいは、前記携帯端末機に一体に設けられ、
前記第２アダプタは、前記光学機器と別個の第２取付部材を介して前記光学機器に装着され、あるいは、前記光学機器に一体に設けられる、
ことを特徴とする請求項１または２に記載の携帯端末機取付アダプタ。
【請求項４】
前記第１取付部材は、前記携帯端末機に装着されるケース、あるいは、前記携帯端末機に固定される固定器具、である、
ことを特徴とする請求項３に記載の携帯端末機取付アダプタ。
【請求項５】
前記第２取付部材は、光学系を有していて前記光学機器の鏡筒に挿入される部材、あるいは、前記光学機器の接眼レンズやレンズを有する物に固定される部材である、
ことを特徴とする請求項３に記載の携帯端末機取付アダプタ。
【発明の詳細な説明】
【技術分野】
【０００１】
この発明は、カメラ付き携帯端末機を光学機器に着脱可能に取り付けるアダプタに関するものである。
【背景技術】
【０００２】
この種の携帯端末機取付アダプタは、従来からある（たとえば、特許文献１、特許文献２）。従来の特許文献１の接続具は、カメラ付き携帯電話側のベースと、顕微鏡側の拡大部と、を備え、ベースに拡大部を回転により着脱可能に取り付けるものである。従来の特許文献１の接続具は、ベースにカメラ付き携帯電話を着脱可能に取り付け、また、ベースに拡大部を回転により着脱可能に取り付けると共に、拡大部を顕微鏡の鏡筒に着脱可能に取り付ける。これにより、従来の特許文献１の接続具は、カメラ付き携帯電話と顕微鏡とをベースおよび拡大部を介して接続して使用するものである。【０００３】
従来の特許文献２の接合用アダプターは、本体と、本体に背中合わせに設けられている携帯端末用取付部および光学機器用取付部と、を備えるものである。従来の特許文献２の接合用アダプターは、カメラ機能付き携帯端末を携帯端末用取付部を介して本体に取り付け、光学機器を光学機器用取付部を介して本体に取り付ける。これにより、従来の特許文献２の接合用アダプターは、カメラ機能付き携帯端末と光学機器とを本体および携帯端末用取付部および光学機器用取付部を介して接合して使用するものである。
【先行技術文献】
【特許文献】
【０００４】
【特許文献１】特開２０１３−１６０９１５号公報
【特許文献２】特開２０１５−２００７００号公報
【発明の概要】
【発明が解決しようとする課題】
【０００５】
かかる携帯端末機取付アダプタ（従来の特許文献１の接続具、従来の特許文献２の接合用アダプター）においては、カメラ付き携帯端末機（従来の特許文献１のカメラ付き携帯電話、従来の特許文献２のカメラ機能付き携帯端末）を、光学機器（従来の特許文献１の顕微鏡、従来の特許文献２の光学機器）に、簡便に脱着できることが重要である。たとえば、使用者は、カメラ付き携帯端末機を光学機器に取り付けてカメラ撮影などに使用している状態においても、通話着信などがあれば、カメラ付き携帯端末機を通話などに使用しなければならない。すなわち、カメラ付き携帯端末機は、光学機器に取り付けられてカメラ機能などに使用されている状態においても、通話などの本来の機能に使用される必要性が発生する場合がある。この場合において、カメラ付き携帯端末機は、光学機器から簡便に取り外せられることが重要である。また、カメラ付き携帯端末機は、光学機器に簡便に取り付けられることも重要である。【０００６】
この発明が解決しようとする課題は、カメラ付き携帯端末機を光学機器に簡便に脱着できる携帯端末機取付アダプタを提供することにある。
【課題を解決するための手段】
【０００７】
この発明は、カメラ付き携帯端末機側の第１アダプタと、光学機器側の第２アダプタと、を備え、第１アダプタ、第２アダプタが、相互に直線方向に着脱可能にかつスライド可能に嵌合する第１スライド部、第２スライド部と、相互に当接して、第１アダプタ、第２アダプタが所定の位置で停止する第１ストッパ部、第２ストッパ部と、第１ストッパ部、第２ストッパ部が相互に当接した時に、弾性当接して、第１アダプタ、第２アダプタが所定の停止位置にロックされる第１ロック部、第２ロック部と、を、有し、第１アダプタが、Ｕ字形状をなし、第１スライド部が、第１アダプタの２本の中間部分に設けられていて、第１ストッパ部が、第１アダプタの一端部分に設けられていて、第１ロック部が、第１スライド部から突出した突起形状をなし、弾性変形可能であり、第２ロック部に弾性当接するものであり、第１ロック部が、第１アダプタの２本の中間部分の他端部分側に傾斜して設けられていて、第２アダプタが、舌形状をなし、第２スライド部が、第２アダプタの中間部分の両側に設けられていて、第２ストッパ部が、第２アダプタの一端部分に設けられていて、第２ロック部が、第２スライド部の末端に設けられていて、第２ロック部が、第２アダプタの円弧形状をなす他端部分に傾斜して設けられていて、第１ロック部の傾斜と第２ロック部の傾斜とが、一致もしくはほぼ一致している、ことを特徴とする。
【０００９】
この発明は、第１ストッパ部、第２ストッパ部が、相互に当接する状態において、第１アダプタ側の重力により、第１アダプタ、第２アダプタを所定の位置に静止させる、ことを特徴とする。【００１１】
この発明は、第１アダプタが、携帯端末機と別個の第１取付部材を介して携帯端末機に装着され、あるいは、携帯端末機に一体に設けられ、第２アダプタが、光学機器と別個の第２取付部材を介して光学機器に装着され、あるいは、光学機器に一体に設けられる、ことを特徴とする。【００１２】
この発明は、第１取付部材が、携帯端末機に装着されるケース、あるいは、携帯端末機に固定される固定器具、である、ことを特徴とする。【００１３】
この発明は、第２取付部材が、光学系を有していて光学機器の鏡筒に挿入される部材、あるいは、光学機器の接眼レンズやレンズを有する物に固定される部材である、ことを特徴とする。
【発明の効果】
【００１４】
この発明は、カメラ付き携帯端末機を光学機器に簡便に脱着できる携帯端末機取付アダプタを提供することができる。
【図面の簡単な説明】
【００１５】
【図１】図１は、この発明にかかる携帯端末機取付アダプタの実施形態１を示す分解斜視図である。
【図２】図２は、第１アダプタおよびケース（以下、「第１アダプタ」と称する）とスマートフォンとを示す平面図（図１におけるＩＩ矢視図）である。
【図３】図３は、第１アダプタとスマートフォンとを示す底面図（図１におけるＩＩＩ矢視図）である。
【図４】図４は、第２アダプタおよび光学系を有する部材（以下、「第２アダプタ」と称する）と顕微鏡の鏡筒とを示す平面図（図１におけるＩＶ矢視図）である。
【図５】図５は、第１アダプタおよび第２アダプタを示す説明図（図１０におけるＶ−Ｖ線矢視図）である。
【図６】図６は、第１アダプタと第２アダプタとの取付途中の状態を示す説明図（図５に対応する説明図）である。
【図７】図７は、第１アダプタと第２アダプタとの取付完了の状態を示す説明図（図５に対応する説明図）である。
【図８】図８は、第１アダプタと第２アダプタとの取付前の状態および取付完了後の状態を示す説明図である。
【図９】図９は、第１アダプタ、スマートフォン、第２アダプタ、顕微鏡の鏡筒を示す側面図（図１におけるＩＸ矢視図）である。
【図１０】図１０は、スマートフォンに装着された第１アダプタと、顕微鏡の鏡筒に挿入された第２アダプタと、を示す側面図（図９に対応する側面図）である。
【図１１】図１１は、スマートフォンに装着された第１アダプタと、顕微鏡の鏡筒に挿入された第２アダプタと、の取付完了の状態を示す側面図（図９に対応する側面図）である。
【図１２】図１２は、図１１におけるＸＩＩ−ＸＩＩ線断面図である。
【図１３】図１３は、スマートフォンに装着された第１アダプタと、顕微鏡の鏡筒に挿入された第２アダプタと、を示す断面図である。
【図１４】図１４は、スマートフォンに装着された第１アダプタと、顕微鏡の鏡筒に挿入された第２アダプタと、の取付完了の状態を示す断面図（図７におけるＸＩＶ−ＸＩＶ線断面図）である。
【図１５】図１５は、第２アダプタが顕微鏡の鏡筒に挿入された状態を示す斜視図である。
【図１６】図１６は、顕微鏡の鏡筒に挿入された第２アダプタに、スマートフォンに装着された第１アダプタを、取り付けた状態を示す斜視図（光学機器が顕微鏡の場合の使用状態を示す説明図）である。
【図１７】図１７は、この発明にかかる携帯端末機取付アダプタの実施形態２を示す断面図（第２アダプタの変形例を示す断面図）である。
【図１８】図１８は、この発明にかかる携帯端末機取付アダプタの実施形態３を示す説明図（第１アダプタの変形例を示す説明図）である。
【図１９】図１９は、この発明にかかる携帯端末機取付アダプタの実施形態４を示す説明図（光学機器がファイバスコープの場合の使用状態を示す説明図）である。
【発明を実施するための形態】
【００１６】
以下、この発明にかかる携帯端末機取付アダプタの実施形態（実施例）の４例を図面に基づいて詳細に説明する。図１２〜図１４、図１７の断面図において、レンズのハッチングを省略してある。  図８（Ａ）は、第１アダプタを示す説明図（図１０におけるＶＩＩＩＡ矢視図）である。図８（Ｂ）は、第２アダプタを示す説明図（図１０におけるＶＩＩＩＢ矢視図）である。図８（Ｃ）は、第１アダプタと第２アダプタとの取付完了後の状態を示す説明図である。
【００１７】
（実施形態１の構成の説明）
図１〜図１６は、この発明にかかる携帯端末機取付アダプタの実施形態１を示す。以下、この実施形態１にかかる携帯端末機取付アダプタの構成について説明する。この例は、光学機器が顕微鏡の場合について説明する。
【００１８】
（携帯端末機取付アダプタの説明）
この実施形態１にかかる携帯端末機取付アダプタは、第１アダプタ１と、第２アダプタ２と、を備える。前記第１アダプタ１、前記第２アダプタ２は、第１スライド部１０、第２スライド部２０と、第１ストッパ部１１、第２ストッパ部２１と、第１ロック部１２、第２ロック部２２と、をそれぞれ有する。
【００１９】
前記第１アダプタ１は、カメラ付携帯端末機３側のアダプタである。前記第２アダプタ２は、光学機器４側のアダプタである。この実施形態１にかかる携帯端末機取付アダプタは、前記第１アダプタ１および前記第２アダプタ２を介して、前記カメラ付携帯端末機３を前記光学機器４に着脱可能にかつ簡便に取り付けるものである。
【００２０】
（スマートフォン３の説明）
前記カメラ付携帯端末機３は、この例では、スマートフォン（以下、「スマートフォン３」と称する）である。前記スマートフォン３は、カメラ（図示せず）が内蔵されているカメラ機能付きの携帯端末機である。
【００２１】
図１〜図３に示すように、前記スマートフォン３の一面（図１において、下面）には、カメラレンズ３０が設けられている。前記カメラレンズ３０は、光軸３１を有する。前記カメラレンズ３０は、少なくとも、撮像時には外部に露出する。前記スマートフォン３の他面（図１において、上面）には、ディスプレが設けられている。前記スマートフォン３には、操作ボタンや他の機器との接続部などが設けられている。前記スマートフォン３の前記カメラは、前記操作ボタンや前記ディスプレに表示される操作画像上における操作により、操作される。なお、前記ディスプレに表示される操作画像上における操作としては、前記ディスプレに直接接触するタッチ操作と、前記ディスプレに直接接触せずにかざす非接触操作と、がある。
【００２２】
（ケース５の説明）
図において、符号「５」は、前記スマートフォン３に装着されるケースである。前記ケース５は、前記スマートフォン３に対して専用に設計されたケースである。前記ケース５は、前記スマートフォン３を衝撃などから保護するものである。前記ケース５は、図１〜図３に示すように、薄型ケース形状をなす。前記ケース５の一面側の部分（図１において、下面側の部分）が閉塞している。前記ケース５の他面側の部分（図１において、上面側の部分）が開口している。前記ケース５を前記スマートフォン３に装着する。すると、前記ケース５の閉塞部の一面（図１において、上面）と前記スマートフォン３の前記カメラレンズ３０側の面（図１において、下面）とは、相互に対向する。また、前記ケース５の開口部には、前記スマートフォン３の前記ディスプレ側の面（図１において、上面）が臨む。さらに、前記ケース５の側壁は、前記スマートフォン３の側面を囲む。
【００２３】
前記ケース５の閉塞部のうち前記カメラレンズ３０と対応する部分には、透孔、この例では、円形の透孔５０が設けられている。このために、前記カメラが撮影する像光（光学的な像）は、前記透孔５０を通して、前記カメラレンズ３０に到達する。前記透孔５０の中心Ｏ１は、前記スマートフォン３の前記カメラレンズ３０の前記光軸３１上もしくはその近傍に位置する。前記ケース５の前記側壁には、前記操作ボタンの操作あるいは他の機器との接続のために、切欠５１が設けられている。
【００２４】
（顕微鏡４の説明）
前記光学機器４は、この例では、顕微鏡（以下、「顕微鏡４」と称する）である。前記顕微鏡４は、図１５、図１６に示すように、この例では、双眼顕微鏡である。前記顕微鏡４は、２本の鏡筒４０を備える。２本の前記鏡筒４０中には、接眼レンズ部（アイピース）４１がそれぞれ着脱可能に挿入されている。この例では、１本の前記鏡筒４０中から前記接眼レンズ部４１が取り外されている。
【００２５】
（光学部材６の説明）
前記接眼レンズ部４１が取り外されている前記鏡筒４０中には、光学部材（光学系アダプタ）６が着脱可能に挿入されている。前記光学部材６は、図１、図１２〜図１４に示すように、リング６０と、円筒形状の筒部６１と、光学系のレンズ６２と、を有する。
【００２６】
前記筒部６１は、一端の大径部分６１０と、他端の小径部分６１１と、前記大径部分６１０と前記小径部分６１１との間の段差面６１２と、から構成されている。前記小径部分６１１の外径と前記鏡筒４０の内径とは、同一もしくはほぼ同一である。前記大径部分６１０の外径と前記鏡筒４０の外径とは、同一もしくはほぼ同一である。なお、前記大径部分６１０の外径と前記鏡筒４０の外径とは、必ずしも同一である必要はない。前記小径部分６１１を前記鏡筒４０中に挿入する。すると、図１２〜図１４に示すように、前記段差面６１２が前記鏡筒４０の端面に当接する。この時、前記小径部分６１１の外周面と前記鏡筒４０の内周面との摩擦力により、前記光学部材６は、前記顕微鏡４の前記鏡筒４０に対して、前記鏡筒４０の中心線回りにおいて、任意の位置に固定される。
【００２７】
前記レンズ６２は、前記筒部６１中に内蔵されている。前記レンズ６２は、前記顕微鏡４の対物レンズからの像光が前記スマートフォン３の前記カメラに最適となるように、光学設計されている。前記レンズ６２は、光軸６３を有する。
【００２８】
（第１アダプタ１の説明）
前記第１アダプタ１は、図３、図５〜図７、図８（Ａ）（Ｃ）、図１２〜図１４に示すように、弾性を有する薄板部材、この例では、ＰＯＭなどの合成樹脂から構成されている。前記第１アダプタ１は、図１におけるＩＩＩ矢印、および、図１０におけるＶ−Ｖ線矢印から見て、図３、図５に示すように、Ｕ字形状をなす。すなわち、前記第１アダプタ１の一端部分は、円弧（この例では、半円の円弧）形状の閉塞部分１３をなす。前記第１アダプタ１の２本の中間部分は、平行もしくはほぼ平行な直線形状の２本の腕部分１４をなす。前記第１アダプタ１の他端部分は、開口部分１５をなす。前記第１アダプタ１の中央部分には、舌形状の凹部分１６が形成される。前記閉塞部分１３の中間と両端との３箇所には、小円形のねじ孔１７がそれぞれ設けられている。前記第１アダプタ１の一面（図１において、下面であって、図１におけるＩＩＩ矢印から見た面）は、平面の第１スライド面１８をなす。前記第１アダプタ１の一面の角部は、Ｒ（約４分の１円形）をなす。一方、前記第１アダプタ１の他面（図１において、上面であって、図１０におけるＶ−Ｖ線矢印から見た面）は、全面が平面をなす。
【００２９】
前記第１アダプタ１の直線形状の２本の前記腕部分１４の内側面であって、前記凹部分１６の側面には、前記第１スライド部１０がそれぞれ設けられている。前記第１アダプタ１の円弧形状の前記閉塞部分１３の内側面であって、前記凹部分１６の側面には、前記第１ストッパ部１１が設けられている。前記第１スライド部１０および前記第１ストッパ部１１は、溝部（ガイド溝）１００と突部（ガイド突部）１０１とからなるレール状の構造体をなす。前記溝部１００は、前記第１アダプタ１の他面側に設けられている。前記突部１０１は、前記第１アダプタ１の一面側に設けられている。
【００３０】
前記第１アダプタ１の２本の前記腕部分１４の前記開口部分１５側の内側面であって、前記凹部分１６の側面には、前記第１ロック部１２がそれぞれ設けられている。前記第１ロック部１２は、前記凹部分１６の側面から内側に突出した突起形状をなす。前記第１ロック部１２は、図１３、図１４に示すように、前記第１アダプタ１の一面から他面にかけて、前記開口部分１５側から前記閉塞部分１３側に傾斜している。相対向する２個の前記第１ロック部１２の先端は、図８（Ａ）、（Ｃ）に示すように、前記溝部１００の底よりも内側に突出していて、さらに、前記突部１０１の頂よりも内側に若干突出している。
【００３１】
２本の前記腕部分１４のうち、前記第１ロック部１２から前記閉塞部分１３側の箇所には、スリット１９がそれぞれ設けられている。前記スリット１９は、前記凹部分１６から前記腕部分１４の短手方向に若干設けられ、かつ、前記腕部分１４の長手方向に前記閉塞部分１３側に設けられている。前記スリット１９は、前記腕部分１４のうち、前記第１ロック部１２が前記閉塞部分１３側に対して、図６、図７における実線矢印方向に弾性変形するためのものである。なお、前記スリット１９の形状は、特に限定しない。また、前記スリット１９を設けずに、前記第１ロック部１２の弾性変形が得られるのであれば、前記スリット１９を設けなくとも良い。
【００３２】
（固定板７の説明）
図において、符号「７」は、前記第１アダプタ１を前記ケース５に固定する固定板である。前記固定板７は、図１〜図３、図５〜図１４に示すように、剛性を有する薄板部材から構成されている。前記固定板７は、この例では、アルミプレートである。前記固定板７の一面（図１、図８〜図１４において、上面）は、前記ケース５のうち前記透孔５０が設けられている角部であって、前記ケース５の閉塞部の他面（図１、図８〜図１４において、下面）に接着剤などにより固定されている。
【００３３】
前記固定板７には、３個の小円形の挿通孔７１が３個の前記ねじ孔１７にそれぞれ対応して一体に設けられている。３個の前記挿通孔７１中には、３本のねじ７２（図２にのみ図示）が挿通されている。３本の前記ねじ７２は、３個の前記ねじ孔１７中にねじ込まれている。これにより、前記固定板７の他面（図１、図８〜図１４において、下面）には、前記第１アダプタ１の他面が固定される。この結果、前記第１アダプタ１は、前記固定板７を介して前記ケース５に固定される。また、前記第１アダプタ１は、前記スマートフォン３と別個の第１取付部材としての前記固定板７および前記ケース５を介して、前記スマートフォン３に装着される。
【００３４】
前記固定板７には、円形の透孔７０が設けられている。前記透孔７０の径は、前記ケース５の前記透孔５０の径と同等もしくはほぼ同等であり、かつ、前記第１アダプタ１の前記閉塞部分１３の径よりも小さい。前記固定板７の前記透孔７０の中心と、前記ケース５の前記透孔５０の中心Ｏ１と、前記第１アダプタ１の前記閉塞部分１３の中心とは、前記スマートフォン３の前記カメラレンズ３０の前記光軸３１上もしくはその近傍において、相互に一致もしくはほぼ一致する。なお、前記透孔７０は、円形以外に長円形やその他の形状のものであっても良い。また、３個の前記挿通孔７１は、前記透孔７０の中心を中心とする適宜径の円上に、等間隔もしくはほぼ等間隔（約９０°の中心角）に配置されている。
【００３５】
（第２アダプタ２の説明）
前記第２アダプタ２は、図１、図４〜図１４に示すように、円板形状の板部分２３と、舌形状の凸部分２４と、から構成されている。前記凸部分２４は、前記板部分２３の一面（図１、図１２〜図１４において、上面）に一体に設けられている。前記第２アダプタ２の中心部分には、透孔、この例では、円形の透孔２５が設けられている。前記板部分２３の一面は、第２スライド面２６をなす。前記第２スライド面２６は、前記第１スライド面１８と相互に面スライドする。
【００３６】
前記板部分２３は、前記筒部６１の一端に取り付けられている。この結果、前記第２アダプタ２は、前記光学部材６に固定される。このために、前記顕微鏡４の対物レンズからの像光であって、前記レンズ６２からの前記スマートフォン３の前記カメラに最適な像光は、前記透孔２５を通る。前記透孔２５の中心Ｏ２は、前記光学部材６の前記レンズ６２の前記光軸６３上もしくはその近傍に位置する。また、前記第２アダプタ２は、前記顕微鏡４と別個の第２取付部材としての前記光学部材６を介して、前記顕微鏡４に装着される。
【００３７】
前記凸部分２４は、前記第１アダプタ１の前記凹部分１６とほぼ同等の形状をなす。すなわち、前記凸部分２４の円弧（この例では、半円の円弧）形状の一端部分の外側面は、前記第１アダプタ１の前記閉塞部分１３の内側面とほぼ一致する。前記凸部分２４の直線形状の中間部分の両外側面は、前記第１アダプタ１の２本の前記腕部分１４の内側面とほぼ一致する。前記凸部分２４の他端部分の外側面は、円弧形状をなす。
【００３８】
前記第２アダプタ２の前記凸部分２４の直線形状の中間部分の両外側面には、前記第２スライド部２０がそれぞれ設けられている。前記第２アダプタ２の前記凸部分２４の円弧形状の一端部分の外側面には、前記第２ストッパ部２１が設けられている。前記第２スライド部２０および前記第２ストッパ部２１は、溝部（ガイド溝）２００と突部（ガイド突部）２０１とからなるレール状の構造体をなす。前記溝部２００は、前記板部分２３側に設けられている。前記突部２０１は、前記板部分２３に対して反対側に設けられている。
【００３９】
前記第２アダプタ２の前記凸部分２４の円弧形状をなす他端部分の外側面であって、２本の前記第２スライド部２０の末端に対応する２箇所には、前記第２ロック部２２がそれぞれ設けられている。前記第２ロック部２２を含む前記凸部分２４の他端部分の外側面は、図１３、図１４に示すように、前記板部分２３側から前記板部分２３に対して反対側にかけて、前記凸部分２４の他端部分側から前記凸部分２４の一端部分側に傾斜している。前記第２ロック部２２の傾斜と前記第１ロック部１２の傾斜とは、一致もしくはほぼ一致している。
【００４０】
（第１アダプタ１、第２アダプタ２の説明）
前記第１アダプタ１の前記第１スライド部１０の前記溝部１００と前記第２アダプタの前記第２スライド部２０の前記突部２０１とが嵌合する。前記第１アダプタ１の前記第１スライド部１０の前記突部１０１と前記第２アダプタの前記第２スライド部２０の前記溝部２００とが嵌合する。これにより、前記第１アダプタ１と前記第２アダプタとは、相互に直線方向に着脱可能にかつスライド可能に嵌合する。
【００４１】
前記第１アダプタ１の前記第１ストッパ部１１の前記溝部１００および前記突部１０１の面と、前記第２アダプタの前記第２ストッパ部２１の前記突部２０１および前記溝部２００の面とが、相互に当接する。これにより、前記第１アダプタ１と前記第２アダプタとは、所定の位置（適正な位置）で停止する。
【００４２】
前記第１アダプタ１の前記第１ロック部１２と、前記第２アダプタ２の前記第２ロック部２２とは、前記第１アダプタ１の前記第１ストッパ部１１と前記第２アダプタの前記第２ストッパ部２１とが相互に当接した時に、ロック状態となる。これにより、前記第１アダプタ１と前記第２アダプタとは、所定の位置にロックされる。
【００４３】
（実施形態１の作用の説明）
この実施形態１にかかる携帯端末機取付アダプタは、以上のごとき構成からなり、以下、その作用について説明する。
【００４４】
図１〜図３、図９に示すように、第１アダプタ１が固定板７を介して固定されているケース５を、スマートフォン３に着脱可能に装着する。図１、図４、図９に示すように、第２アダプタ２が固定されている光学部材６を、接眼レンズ部４１が取り外されている顕微鏡４の鏡筒４０中に着脱可能に挿入する。図１、図５、図９、図１０、図１３に示すように、スマートフォン３側の第１アダプタ１を顕微鏡４側の第２アダプタ２に、直線方向に着脱可能に取り付ける。
【００４５】
まず、図１、図５、図９、図１０、図１３中の実線矢印に示すように、第１アダプタ１の第１スライド面１８を第２アダプタ２の第２スライド面２６上に載置させる。かつ、第１アダプタ１の開口部分１５側を第２アダプタ２の凸部分２４の半円の円弧形状の一端部分側に直線方向（方向）にスライドさせる。すると、第１アダプタ１の第１スライド部１０の溝部１００、突部１０１と、第２アダプタ２の第２スライド部２０の突部２０１、溝部２００とが、相互に直線方向にスライド可能に嵌合する。
【００４６】
つぎに、第１アダプタ１を第２アダプタ２に対してスライドさせる。図６に示すように、第１アダプタ１の第１ロック部１２が第２アダプタ２の第２スライド部２０に当たる。すると、第１アダプタ１の２本の腕部分１４のうち、第１ロック部１２が閉塞部分１３側に対して、図６中の実線矢印方向に外側に開いて弾性変形する。すなわち、腕部分１４のうちスリット１９から第１ロック部１２側の部分が、腕部分１４のうちスリット１９から閉塞部分１３側の部分に対して、外側に開く。
【００４７】
さらに、第１アダプタ１を第２アダプタ２に対してスライドさせる。図７に示すように、第１アダプタ１の第１ストッパ部１１の溝部１００、突部１０１と、第２アダプタ２の第２ストッパ部２１の突部２０１、溝部２００とが、相互に当接する。すると、第１アダプタ１と第２アダプタ２とは、所定の位置で停止する。この結果、図１４に示すように、第１アダプタ１側のスマートフォン３のカメラレンズ３０の光軸３１と、第２アダプタ２側の光学部材６の光軸６３とは、一致もしくはほぼ一致する。
【００４８】
この時、図７に示すように、第１ストッパ部１１と第２ストッパ部２１とが相互に当接した時、外側に開いて弾性変形していた第１ロック部１２は、図７中の実線矢印方向に内側に閉じて元の状態（図５に示す状態）に弾性復帰する。すると、図７、図１４に示すように、第１アダプタの傾斜している２個の第１ロック部１２は、第２アダプタ２の傾斜している２箇所の第２ロック部２２に当接する。これにより、第１アダプタ１と第２アダプタ２とは、所定の停止位置において、相互にロックされる。また、スマートフォン３のカメラレンズ３０の光軸３１と光学部材６の光軸６３との一致状態もロックされる。このように、第１アダプタ１、第２アダプタ２を介して、スマートフォン３を顕微鏡４に、簡便に取り付けることができる。
【００４９】
そして、スマートフォン３のカメラレンズ３０の光軸３１と光学部材６の光軸６３とが一致することにより、顕微鏡４の対物レンズからの像光は、光学部材６のレンズ６２を透過して、スマートフォン３のカメラに最適な像光となる。このカメラに最適な像光は、第２アダプタ２の透孔２５、ケース５の透孔５０、固定板７の透孔７０、第１アダプタ１の凹部分１６を経て、スマートフォン３のカメラレンズ３０に到達する。
【００５０】
ここで、スマートフォン３は、顕微鏡４に取り付けられてカメラ機能などに使用されている状態においても、通話などの本来の機能に使用される必要性が発生する場合がある。すなわち、スマートフォン３を顕微鏡４に取り付けてカメラ撮影などに使用している状態において、通話着信などがあると、スマートフォン３を顕微鏡４から取り外す必要がある。
【００５１】
この時は、スマートフォン３側の第１アダプタ１を顕微鏡４側の第２アダプタ２に対して、図１、図５、図９、図１０、図１３中の実線矢印方向に対して逆方向に、直線方向にスライドさせる。この第１アダプタ１をスライドさせる力が、２個の第１ロック部１２が２箇所の第２ロック部２２に弾性当接している弾性力よりも大きいと、２個の第１ロック部１２が外側（図７中の実線矢印に対して逆方向側）に開く。これにより、第１スライド部１０と第２スライド部２０とが相互にスライドする。第１スライド部１０と第２スライド部２０との相互嵌合状態が外れた時点で、スマートフォン３が顕微鏡４から取り外される。このように、スマートフォン３を顕微鏡４から簡便に取り外すことができる。
【００５２】
（実施形態１の効果の説明）
この実施形態１にかかる携帯端末機取付アダプタは、以上のごとき構成および作用からなり、以下、その効果について説明する。
【００５３】
この実施形態１にかかる携帯端末機取付アダプタは、スマートフォン３側の第１アダプタ１と、顕微鏡４側の第２アダプタ２と、を備え、第１アダプタ１、第２アダプタ２が、相互に直線方向に着脱可能にかつスライド可能に嵌合する第１スライド部１０、第２スライド部２０を、有するものである。このために、この実施形態１にかかる携帯端末機取付アダプタは、スマートフォン３側の第１アダプタ１の第１スライド部１０と顕微鏡４側の第２アダプタ２の第２スライド部２０とを相互にスライド可能に嵌合させることにより、第１アダプタ１と第２アダプタ２とを相互にスライドさせることができる。この結果、この実施形態１にかかる携帯端末機取付アダプタは、第１アダプタ１と第２アダプタ２とを相互にスライドさせることにより、スマートフォン３を顕微鏡４に簡便に取り付けることができる。また、この実施形態１にかかる携帯端末機取付アダプタは、第１スライド部１０と第２スライド部２０とを相互にスライドさせて嵌合状態を外すことにより、スマートフォン３を顕微鏡４に簡便に取り外すことができる。
【００５４】
この実施形態１にかかる携帯端末機取付アダプタは、第１アダプタ１、第２アダプタ２が、相互に当接して、第１アダプタ１、第２アダプタ２が所定の位置で停止する第１ストッパ部１１、第２ストッパ部２１を、有するものである。このために、この実施形態１にかかる携帯端末機取付アダプタは、第１ストッパ部１１と第２ストッパ部２１とが相互に当接することにより、第１アダプタ１と第２アダプタ２とを所定の位置で停止させることができる。この結果、この実施形態１にかかる携帯端末機取付アダプタは、第１アダプタ１側のスマートフォン３のカメラレンズ３０の光軸３１と、第２アダプタ２側の光学部材６の光軸６３とは、一致もしくはほぼ一致させることができる。
【００５５】
この実施形態１にかかる携帯端末機取付アダプタは、第１アダプタ１、第２アダプタ２が、第１ストッパ部１１、第２ストッパ部２１が相互に当接した時に、第１アダプタ１、第２アダプタ２が所定の停止位置にロックされる第１ロック部１２、第２ロック部２２を、有するものである。このために、この実施形態１にかかる携帯端末機取付アダプタは、第１ロック部１２、第２ロック部２２により、第１アダプタ１、第２アダプタ２を所定の停止位置に確実に位置させることができる。この結果、この実施形態１にかかる携帯端末機取付アダプタは、スマートフォン３のカメラレンズ３０の光軸３１と第２アダプタ２側の光学部材６の光軸６３との一致状態を確実に維持することができる。
【００５６】
この実施形態１にかかる携帯端末機取付アダプタは、第１アダプタ１がスマートフォン３と別個の第１取付部材としての固定板７およびケース５を介してスマートフォン３に装着されるものである。このために、この実施形態１にかかる携帯端末機取付アダプタは、第１アダプタ１をスマートフォン３に簡単にかつ確実にかつ正確に装着することができる。
【００５７】
この実施形態１にかかる携帯端末機取付アダプタは、第２アダプタ２が顕微鏡４と別個の第２取付部材としての光学部材６を介して顕微鏡４に装着されるものである。このために、この実施形態１にかかる携帯端末機取付アダプタは、第２アダプタ２を顕微鏡４に簡単にかつ確実にかつ正確に装着することができる。
【００５８】
（実施形態２の説明）
図１７は、この発明にかかる携帯端末機取付アダプタの実施形態２を示す断面図である。この実施形態２にかかる携帯端末機取付アダプタは、第２アダプタ２Ａの変形例の場合である。図１７中、図１〜図１６と同符号は、同一の物を示す。
【００５９】
前記の実施形態１にかかる携帯端末機取付アダプタの第２アダプタ２は、レンズ６２（光学系）を有する光学部材６に固定されていて、光学部材６を介して顕微鏡４の鏡筒４０に装着されるものである。これに対して、この実施形態２にかかる携帯端末機取付アダプタの第２アダプタ２Ａは、光学系を有さない部材６Ａに固定されていて、部材６Ａを介して顕微鏡４の接眼レンズ部４１に装着されるものである。図１７中の符号「６４」は、第２アダプタ２Ａと一体の部材６Ａを接眼レンズ部４１に装着するためのスクリューである。
【００６０】
この実施形態２にかかる携帯端末機取付アダプタは、前記の実施形態１にかかる携帯端末機取付アダプタの作用効果とほぼ同様の作用効果を達成することができる。すなわち、この実施形態２にかかる携帯端末機取付アダプタの第２アダプタ２Ａは、前記の実施形態１にかかる携帯端末機取付アダプタの第２アダプタ２と同様に、第１アダプタ１と相互に直線方向に着脱可能にかつスライド可能に嵌合することができる。
【００６１】
（実施形態３の説明）
図１８は、この発明にかかる携帯端末機取付アダプタの実施形態３を示す説明図である。この実施形態３にかかる携帯端末機取付アダプタは、第１アダプタ１Ａの変形例の場合である。図１８中、図１〜図１７と同符号は、同一の物を示す。
【００６２】
前記の実施形態１にかかる携帯端末機取付アダプタの第１アダプタ１は、固定板７を介してケース５に固定されていて、ケース５を介してスマートフォン３に装着されるものである。これに対して、この実施形態３にかかる携帯端末機取付アダプタの第１アダプタ１Ａは、固定器具５Ａを介してスマートフォン３に装着されるものである。固定器具５Ａは、本体５２と、２本のスライドアーム５３と、押え部５４と、を備えるものである。本体５２には、第１アダプタ１Ａが固定されている。本体５２には、２本のスライドアーム５３が直線方向（図１８中の実線矢印方向）にスライド可能に取り付けられている。２本のスライドアーム５３には、押え部５４がそれぞれ固定されている。２本のスライドアーム５３をスライドさせて、２個の押え部５４でスマートフォン３の両側を押え込む。これにより、固定器具５Ａは、さまざまの大きさのスマートフォン３に固定される。この結果、第１アダプタ１Ａは、固定器具５Ａを介してスマートフォン３に装着される。
【００６３】
この実施形態３にかかる携帯端末機取付アダプタは、前記の実施形態１、２にかかる携帯端末機取付アダプタの作用効果とほぼ同様の作用効果を達成することができる。すなわち、この実施形態３にかかる携帯端末機取付アダプタの第１アダプタ１Ａは、前記の実施形態１、２にかかる携帯端末機取付アダプタの第１アダプタ１と同様に、第２アダプタ２、２Ａと相互に直線方向に着脱可能にかつスライド可能に嵌合することができる。
【００６４】
（実施形態４の説明）
図１９は、この発明にかかる携帯端末機取付アダプタの実施形態４を示す使用状態の説明図である。この実施形態４にかかる携帯端末機取付アダプタは、使用する光学機器がファイバスコープ（内視鏡）４Ａの場合である。図１９中、図１〜図１８と同符号は、同一の物を示す。
【００６５】
前記の実施形態１、２、３にかかる携帯端末機取付アダプタにおいて使用する光学機器が顕微鏡４である。これに対して、この実施形態４にかかる携帯端末機取付アダプタにおいて使用する光学機器は、ファイバスコープ４Ａである。ファイバスコープ４Ａは、操作部４２と、光ファイバ部４３と、接眼レンズ部４４と、を備えるものである。操作部４２の一端には、光ファイバ部４３の一端が接続されている。操作部４２の他端には、接眼レンズ部４４が設けられている。接眼レンズ部４４には、第２アダプタ２が着脱可能に取り付けられている。第２アダプタ２にスマートフォン３側の第１アダプタ１が着脱可能に取り付けられている。
【００６６】
この実施形態４にかかる携帯端末機取付アダプタは、前記の実施形態１にかかる携帯端末機取付アダプタの作用効果とほぼ同様の作用効果を達成することができる。すなわち、この実施形態４にかかる携帯端末機取付アダプタは、第１アダプタ１、第２アダプタ２を介して、スマートフォン３をファイバスコープ４Ａに着脱可能に取り付けることができる。
【００６７】
（実施形態１、２、３、４以外の例の説明）
なお、この実施形態１、３、４においては、カメラ付携帯端末機としてカメラが内蔵されているスマートフォン３を使用した例である。ところが、この発明においては、カメラ付携帯端末機として、カメラが内蔵されているスマートフォン３以外のカメラが内蔵されているカメラ機能付きの携帯端末機であっても良い。この場合において、カメラ機能付きの携帯端末機に装着されるケースは、この実施形態１のケース５以外のケースであって、使用するカメラ機能付きの携帯端末機に対して専用に設計されたケースを使用する。
【００６８】
また、この実施形態１、２、４においては、光学機器として顕微鏡４、ファイバスコープ（医療用内視鏡）９を使用した例である。ところが、この発明においては、光学機器として、顕微鏡４やファイバスコープ（医療用内視鏡）９以外の光学機器、たとえば、スリットランプなどの眼科用機材、また、望遠鏡や双眼鏡などの光学機器であっても良い。
【００６９】
さらに、この実施形態１においては、第１アダプタ１がスマートフォン３と別個の第１取付部材としての固定板７およびケース５を介してスマートフォン３に装着されているものである。すなわち、この実施形態１においては、第１アダプタ１と、固定板７と、ケース５と、スマートフォン３とがそれぞれ別個のものである。そして、この実施形態１においては、第１アダプタ１が固定板７に固定されていて、その固定板７がケース５に固定されていて、そのケース５がスマートフォン３に装着されているものである。ところが、この発明においては、第１アダプタ１と固定板７とが一体のものであって、その固定板７がケース５に固定されていて、そのケース５がスマートフォン３に装着されているものであっても良い。また、この発明においては、第１アダプタ１と固定板７とケース５とが一体のものであって、そのケース５がスマートフォン３に装着されているものであっても良い。さらに、この発明においては、固定板７を用いずに、第１アダプタ１とケース５とが一体のものであって、そのケース５がスマートフォン３に装着されているものであっても良い。以上のように、この発明においては、第１アダプタ１がスマートフォン３と別個の第１取付部材を介してスマートフォン３に装着されるものであれば良い。
【００７０】
さらにまた、この実施形態１においては、第１アダプタ１がスマートフォン３と別個の第１取付部材としての固定板７およびケース５を介してスマートフォン３に装着されているものである。ところが、この発明においては、第１取付部材としての固定板７およびケース５を用いずに、第１アダプタ１とスマートフォン３のケーシングもしくはハウジングとが一体のものであっても良い。すなわち、この発明においては、第１アダプタ１は、スマートフォン３に一体に設けられているのものであっても良い。
【００７１】
さらにまた、この実施形態１、２においては、第２アダプタ２が顕微鏡４と別個の第２取付部材としての光学部材６、部材６Ａを介して顕微鏡４に装着されているものである。ところが、この発明においては、第２取付部材としての光学部材６、部材６Ａを用いずに、第２アダプタ２と顕微鏡４の鏡筒４０、接眼レンズ部４１とが一体のものであっても良い。また、第２アダプタ２を三眼鏡筒の顕微鏡のＣマウント部に直接もしくは三眼鏡筒の顕微鏡と別個の光学部材６、部材６Ａを介して装着するものであっても良い。さらに、第２アダプタ２を、前記のＣマウント部以外に、三眼鏡筒の顕微鏡の撮影用の鏡筒にも直接もしくは三眼鏡筒の顕微鏡と別個の光学部材６、部材６Ａを介して装着するものであっても良い。
【００７２】
さらにまた、この実施形態１〜４においては、第１ロック部１２、第２ロック部２２を有するものである。ところが、この発明においては、第１ロック部１２、第２ロック部２２を有さなくても良い。この場合においては、第１ストッパ部１１、第２ストッパ部２１が相互に当接する状態であって、スマートフォン３を含む第１アダプタ１側の重力により、第１アダプタ１、第２アダプタ２を所定の位置に静止させることができる。これにより、ロック構造が不要となり、構造が簡単となり、製造コストを安価にすることができる。また、この場合においては、図１６に示すように、実線で示すスマートフォン３を９０°以上回転しない限りは重力で脱落することはない。このように、簡単な構造で、スマートフォン３を横位置にして撮影を行うことが可能である。
【００７３】
なお、この発明は、前記の実施形態１、２、３、４により限定されるものではない。たとえば、第１アダプタ１、１Ａの第１スライド部１０、第１ストッパ部１１、第１ロック部１２の構造を、第２アダプタ２、２Ａの第２スライド部２０、第２ストッパ部２１、第２ロック部２２の構造に、置き換え、かつ、第２アダプタ２、２Ａの第２スライド部２０、第２ストッパ部２１、第２ロック部２２の構造を、第１アダプタ１、１Ａの第１スライド部１０、第１ストッパ部１１、第１ロック部１２の構造に、置き換える、ことも、この発明に含まれる。
【符号の説明】
【００７４】
１、１Ａ  第１アダプタ
１０  第１スライド部
１１  第１ストッパ部
１２  第１ロック部
１３  閉塞部分
１４  腕部分
１５  開口部分
１６  凹部分
１７  ねじ孔
１８  第１スライド面
１９  スリット
１００  溝部
１０１  突部
２、２Ａ  第２アダプタ
２０  第２スライド部
２１  第２ストッパ部
２２  第２ロック部
２３  板部分
２４  凸部分
２５  透孔
２６  第２スライド面
２００  溝部
２０１  突部
３  スマートフォン（カメラ付携帯端末機）
３０  カメラレンズ
３１  光軸
４  顕微鏡（光学機器）  
４０  鏡筒
４１  接眼レンズ部
４Ａ  ファイバスコープ（光学機器）  
４２  操作部
４３  光ファイバ部
４４  接眼レンズ部
５  ケース
５０  透孔
５１  切欠
５Ａ  固定器具
５２  本体
５３  スライドアーム
５４  押え部
６  光学部材
６０  リング
６１  筒部
６１０  大径部分
６１１  小径部分
６１２  段差面
６２  レンズ
６３  光軸
６４  スクリュー
７  固定板
７０  透孔
７１  挿通孔
７２  ねじ
Ｏ１  中心
Ｏ２  中心
【図１】
0006452702.tif 000002
【図２】
0006452702.tif 000003
【図３】
0006452702.tif 000004
【図４】
0006452702.tif 000005
【図５】
0006452702.tif 000006
【図６】
0006452702.tif 000007
【図７】
0006452702.tif 000008
【図８】
0006452702.tif 000009
【図９】
0006452702.tif 000010
【図１０】
0006452702.tif 000011
【図１１】
0006452702.tif 000012
【図１２】
0006452702.tif 000013
【図１３】
0006452702.tif 000014
【図１４】
0006452702.tif 000015
【図１５】
0006452702.tif 000016
【図１６】
0006452702.tif 000017
【図１７】
0006452702.tif 000018
【図１８】
0006452702.tif 000019
【図１９】
0006452702.tif 000020